(57)【特許請求の範囲】
【請求項１】
情報を通信するようにワイヤレス通信デバイス（１９００）を動作させる方法において、
一定の送信電力の動作モードの間に、一定の送信電力レベルでデータを送信することと、
予め定められた繰り返しパターンにしたがって時間の関数として変動する電力レベルを使用して、時間変動する送信電力の動作モードの間にデータを送信することとを含み、
前記予め定められた繰り返しパターンは、ピア発見間隔の予め定められた循環する送信スケジュールに対応し、パイロットおよびデータは、前記ピア発見間隔のそれぞれの間に送信されている、方法。
【請求項２】
情報を通信するようにワイヤレス通信デバイス（１９００）を動作させる方法において、
一定の送信電力の動作モードの間に、一定の送信電力レベルでデータを送信することと、
予め定められた繰り返しパターンにしたがって時間の関数として変動する電力レベルを使用して、時間変動する送信電力の動作モードの間にデータを送信すること、
前記時間変動する送信電力の動作モードの間にデータを送信することは、異なるピア発見送信時間期間の間に、異なる電力レベルで、同じピア発見情報を複数回送信することを含む、方法。
【請求項３】
ネットワーク輻輳の決定された量に応じて、前記一定の送信電力の動作モードと、前記時間変動する送信電力の動作モードとの間を切り替えることをさらに含む請求項１又は請求項２記載の方法。
【請求項４】
情報を通信するようにワイヤレス通信デバイス（１９００）を動作させる方法において、
一定の送信電力の動作モードの間に、一定の送信電力レベルでデータを送信することと、
時間変動する送信電力の動作モードの間の時間の関数としての送信電力レベルを制御するように、複数の異なる予め定められた繰り返し送信電力レベルパターンのうちの１つをランダムに選択することと、
前記ランダムに選択された複数の異なる予め定められた繰り返し送信電力レベルパターンのうちの１つに従って、時間の関数として変動する電力レベルを使用して、時間変動する送信電力の動作モードの間にデータを送信することと
を含む、方法。
【請求項５】
前記ワイヤレス通信デバイス（１９００）の近傍にあるデバイスによって複数のパイロットシーケンスのうちのどのパイロットシーケンスが使用されるかに基づいて、前記時間変動する送信電力の動作モードの間の時間の関数としての前記送信電力レベルを制御するように、複数の異なる送信電力レベルパターンのうちの１つを選択することをさらに含む請求項１記載の方法。
【請求項６】
前記一定の送信電力の動作モードの間に、第１の電力レベルでパイロットを送信することと、
前記時間変動する送信電力の動作モードの間に、前記第１の電力レベルでパイロットを送信することとをさらに含む請求項１又は請求項２記載の方法。
【請求項７】
前記パイロットは、前記ワイヤレス通信デバイス（１９００）と同じパイロット送信リソースを使用している隣接通信デバイス（１０４）によって使用されるものとは異なるパイロットシーケンスを使用して送信される請求項６記載の方法。
【請求項８】
ワイヤレス通信デバイス（１９００）において、
一定の送信電力の動作モードの間に、一定の送信電力レベルでデータを送信する手段（２０２２）と、
予め定められた繰り返しパターンにしたがって時間の関数として変動する電力レベルを使用して、時間変動する送信電力の動作モードの間にデータを送信する手段（２０３６）とを具備し、
前記予め定められた繰り返しパターンは、ピア発見間隔の予め定められた循環する送信スケジュールに対応し、パイロットおよびデータは、前記ピア発見間隔のそれぞれの間に送信されている、
ワイヤレス通信デバイス（１９００）。
【請求項９】
ワイヤレス通信デバイス（１９００）において、
一定の送信電力の動作モードの間に、一定の送信電力レベルでデータを送信する手段（２０２２）と、
予め定められた繰り返しパターンにしたがって時間の関数として変動する電力レベルを使用して、時間変動する送信電力の動作モードの間にデータを送信する手段（２０３６）とを具備し、
前記時間変動する送信電力の動作モードの間に送信する手段（２０３６）は、異なるピア発見送信時間期間の間に、異なる電力レベルで、同じピア発見情報を複数回送信する、
ワイヤレス通信デバイス（１９００）。
【請求項１０】
ネットワーク輻輳の決定された量に応じて、前記一定の送信電力の動作モードと、前記時間変動する送信電力の動作モードとの間を切り替える手段（２０１０）をさらに具備する請求項８又は請求項９記載のワイヤレス通信デバイス（１９００）。
【請求項１１】
一定の送信電力の動作モードの間に、一定の送信電力レベルでデータを送信する手段（２０２２）と、
前記時間変動する送信電力の動作モードの間の時間の関数としての送信電力レベルを制御するように、複数の異なる予め定められた繰り返し送信電力レベルパターンのうちの１つをランダムに選択する手段（２０３０）と、
前記ランダムに選択された複数の異なる予め定められた繰り返し送信電力レベルパターンのうちの１つに従って、時間の関数として変動する電力レベルを使用して、時間変動する送信電力の動作モードの間にデータを送信する手段（２０３６）と
を具備する、
ワイヤレス通信デバイス（１９００）。
【請求項１２】
前記ワイヤレス通信デバイス（１９００）の近傍にあるデバイスによって複数のパイロットシーケンスのうちのどのパイロットシーケンスが使用されるかに基づいて、前記時間変動する送信電力の動作モードの間の時間の関数としての前記送信電力レベルを制御するように、複数の異なる送信電力レベルパターンのうちの１つを選択する手段（２０３４）をさらに具備する請求項８記載のワイヤレス通信デバイス（１９００）。
【請求項１３】
前記一定の送信電力の動作モードの間に、第１の電力レベルでパイロットを送信する手段（２０２４）と、
前記時間変動する送信電力の動作モードの間に、前記第１の電力レベルでパイロットを送信する手段（２０３８）とをさらに具備する請求項８又は請求項９記載のワイヤレス通信デバイス（１９００）。
【請求項１４】
ワイヤレス通信デバイス（１９００）において使用するためのコンピュータ読み取り可能記憶媒体（１９０４）において、
少なくとも１つのコンピュータ（１９０２）に、一定の送信電力の動作モードの間に、一定の送信電力レベルでデータを送信させるためのコード（２０２２）と、
前記少なくとも１つのコンピュータ（１９０２）に、予め定められた繰り返しパターンにしたがって時間の関数として変動する電力レベルを使用させて、時間変動する送信電力の動作モードの間にデータを送信させるためのコード（２０３６）と
を具備し、
前記予め定められた繰り返しパターンは、ピア発見間隔の予め定められた循環する送信スケジュールに対応し、パイロットおよびデータは、前記ピア発見間隔のそれぞれの間に送信されている、
コンピュータ読み取り可能記憶媒体（１９０４）。
【請求項１５】
ワイヤレス通信デバイス（１９００）において使用するためのコンピュータ読み取り可能記憶媒体（１９０４）において、
少なくとも１つのコンピュータ（１９０２）に、一定の送信電力の動作モードの間に、一定の送信電力レベルでデータを送信させるためのコード（２０２２）と、
前記少なくとも１つのコンピュータ（１９０２）に、予め定められた繰り返しパターンにしたがって時間の関数として変動する電力レベルを使用させて、時間変動する送信電力の動作モードの間にデータを送信させるためのコード（２０３６）と
を具備し、
前記時間変動する送信電力の動作モードの間にデータを送信することは、異なるピア発見送信時間期間の間に、異なる電力レベルで、同じピア発見情報を複数回送信することを含む、
コンピュータ読み取り可能記憶媒体（１９０４）。
【請求項１６】
ワイヤレス通信デバイス（１９００）において、
一定の送信電力の動作モードの間に、一定の送信電力レベルでデータを送信するようにと、
予め定められた繰り返しパターンにしたがって時間の関数として変動する電力レベルを使用して、時間変動する送信電力の動作モードの間にデータを送信するように構成されている少なくとも１つのプロセッサ（１９０２）と、
前記少なくとも１つのプロセッサに結合されているメモリ（１９０４）とを具備し、
前記予め定められた繰り返しパターンは、ピア発見間隔の予め定められた循環する送信スケジュールに対応し、パイロットおよびデータは、前記ピア発見間隔のそれぞれの間に送信されている、
ワイヤレス通信デバイス（１９００）。
【請求項１７】
ワイヤレス通信デバイス（１９００）において、
一定の送信電力の動作モードの間に、一定の送信電力レベルでデータを送信し、
予め定められた繰り返しパターンにしたがって時間の関数として変動する電力レベルを使用して、時間変動する送信電力の動作モードの間にデータを送信するように構成されている少なくとも１つのプロセッサ（１９０２）と、
前記少なくとも１つのプロセッサに結合されているメモリ（１９０４）とを具備し、
前記時間変動する送信電力の動作モードの間にデータを送信することは、異なるピア発見送信時間期間の間に、異なる電力レベルで、同じピア発見情報を複数回送信することを含む、
ワイヤレス通信デバイス（１９００）。
【請求項１８】
前記少なくとも１つのプロセッサ（１９０２）は、
ネットワーク輻輳の決定された量に応じて、前記一定の送信電力の動作モードと、前記時間変動する送信電力の動作モードとの間を切り替えるようにさらに構成されている請求項１６又は請求項１７記載のワイヤレス通信デバイス（１９００）。
【請求項１９】
一定の送信電力の動作モードの間に、一定の送信電力レベルでデータを送信し、
時間変動する送信電力の動作モードの間の時間の関数としての前記送信電力レベルを制御するように、複数の異なる予め定められた繰り返し送信電力レベルパターンのうちの１つをランダムに選択し、
前記ランダムに選択された複数の異なる予め定められた繰り返し送信電力レベルパターンのうちの１つに従って、時間の関数として変動する電力レベルを使用して、時間変動する送信電力の動作モードの間にデータを送信するように構成されている、
少なくとも１つのプロセッサ（１９０２）を具備する、
ワイヤレス通信デバイス（１９００）。
【請求項２０】
前記少なくとも１つのプロセッサ（１９０２）は、
前記ワイヤレス通信デバイス（１９００）の近傍にあるデバイスによって複数のパイロットシーケンスのうちのどのパイロットシーケンスが使用されるかに基づいて、前記時間変動する送信電力の動作モードの間の時間の関数としての前記送信電力レベルを制御するように、複数の異なる送信電力レベルパターンのうちの１つを選択するようにさらに構成されている請求項１８記載のワイヤレス通信デバイス（１９００）。
【発明の詳細な説明】
【分野】
【０００１】
さまざまな実施形態は、ワイヤレス通信方法および装置に関連する。さらに詳細に述べると、複数の異なる送信電力レベルを使用して、データおよび／または情報を送信するためのワイヤレス通信方法および装置に関連する。
【背景】
【０００２】
いくつかのピアツーピア通信システムでは、ピア発見ブロードキャストシグナリングのために利用可能なエアリンクリソースの量は限定されている。システムにおける輻輳は、大きく経時的に変動するかもしれず、および、変わることが多い。時には、ピア発見信号をブロードキャストしようと望むデバイスが、数個しか存在しないことがあり、それぞれのデバイスは、その近傍にある他の何らかのデバイスによって使用されていないピア発見リソースを獲得および使用することができるかもしれない。しかしながら、その他のときには、ピア発見信号をブロードキャストしようと望む非常に多数のデバイスが存在するかもしれず、それぞれのデバイスが一意的なリソースを選択するのに利用可能なピア発見リソースが十分に存在しないことがある。結果として、高い輻輳の時には、複数のユーザは、同じピア発見リソース上で獲得および送信することが予想される。共通リソースのこの同時使用が、ブロードキャストピア発見信号を復元しようと試行するデバイスに対する干渉問題を生む。
【０００３】
上記の説明に基づいて、ネットワーク輻輳環境に応答するデータを通信するための方法および装置の必要性があることを正しく認識すべきである。ネットワーク輻輳が高いときに干渉問題を緩和させる傾向がある方法および装置は、特に、有益であろう。
【概要】
【０００４】
エアリンクリソースが、複数のデバイスによって同時に使用されてもよく、そして時には使用される通信システムにおけるワイヤレス通信のための方法および装置を記述する。さまざまな記述する方法および装置は、ワイヤレスピアツーピアネットワークにおける、例えば、アドホックピアツーピアネットワークにおける使用に良く適している。
【０００５】
いくつかの実施形態では、ワイヤレス通信デバイスが、その観点から、ネットワーク輻輳の量を決定して、その決定を使用し、その動作モードを設定する。同時に、そのネットワークにおける異なるワイヤレス通信デバイスは、異なる視点のネットワーク輻輳がある。
【０００６】
その観点から、ネットワーク輻輳が低いことをワイヤレス通信デバイスが決定した場合、デバイスは、一定の送信電力の動作モードで送信データを、例えば、一定の電力レベルでピア発見データを演算する。その観点から、ネットワーク輻輳が高いことをワイヤレス通信デバイスが決定した場合、ワイヤレス通信デバイスは、時間変動する送信電力の動作モードで送信データを、例えば、時間の関数として変動する電力レベルを使用してピア発見データを演算する。
【０００７】
いくつかの実施形態では、時間変動する送信電力の動作モードで動作している通信デバイスは、時間の関数としての送信電力レベルを制御する関数としての送信電力レベルを制御するように、複数の異なる送信電力レベルパターンのうちの１つをランダムに選択する。いくつかの実施形態では、時間変動する送信電力の動作モードで動作している通信デバイスは、前記ワイヤレス通信デバイスの近傍にあるデバイスによって複数のパイロットシーケンスのうちのどのパイロットシーケンスが使用されるかに基づいて、時間の関数としての送信電力レベルを制御するように、複数の異なる送信電力レベルパターンのうちの１つを選択する。いくつかの実施形態では、異なる送信電力レベルパターンは、異なるパイロットシーケンスに関係付けられている。
【０００８】
高いネットワーク輻輳環境では、局所的に近傍にある複数のデバイスが、リソースの共通のセット上でデータを同時に送信するだろうことが予想される。例えば、局所的に近傍にある複数のデバイスは、ピア発見リソースの共通のセット上でピア発見データをブロードキャストし、したがって、これは、互いに干渉の原因となるだろう。共通のリソース上で送信している異なる送信デバイスは、さまざまな実施形態にしたがって、時間変動する動作モードで動作するが、最大電力送信の時間に関して時間的にオフセットされるとき、送信されたデータの首尾よい復元の可能性が増す。
【０００９】
１つの例示的な実施形態にしたがった、情報を通信するように通信デバイスを動作させる例示的な方法は、一定の送信電力レベルで、一定の送信電力の動作モードの間にデータを送信することと、時間の関数として変動する電力レベルを使用して、時間変動する送信電力の動作モードの間にデータを送信することとを含む。
【００１０】
１つの例示的な通信デバイスは、一定の送信電力レベルで、一定の送信電力の動作モードの間にデータを送信するようにと；時間の関数として変動する電力レベルを使用して、時間変動する送信電力の動作モードの間に、データを送信するように構成されている少なくとも１つのプロセッサを具備する。通信デバイスは、前記少なくとも１つのプロセッサに結合されているメモリを備えていてもよく、いくつかの実施形態では備えている。
【００１１】
上記の概要において、さまざまな実施形態について説明してきたが、必ずしも、すべての実施形態が同じ機能を含まないことや、上述した機能のうちのいくつかのものは、必要ないが、いくつかの実施形態では望ましいことがあることを正しく認識すべきである。さまざまな実施形態の、多数の付加的な機能、実施形態および利益を、後続する詳細な説明において説明する。
【図面の簡単な説明】
【００１２】
【図１】図１は、例示的な実施形態にしたがった、例示的なピアツーピアワイヤレス通信システムを図示している。
【図２】図２は、さまざまな実施形態にしたがった、例示的なピアツーピア送信タイミング構造において循環する例示的な時間間隔を図示している。
【図３】図３は、例示的なピアツーピアの循環するタイミング構造における例示的なピア発見エアリンクリソースを図示している、例示的な周波数対時間プロットの図である。
【図４】図４は、図３中で図示されているピア発見リソースブロック内の例示的なピア発見リソースセットを図示している、例示的な周波数対時間プロットの図である。
【図５】図５は、例示的なピア発見リソースセットを図示している図である。
【図６】図６は、パイロットシンボルおよびデータシンボルを伝えるために使用される例示的なピア発見リソースセットを図示している図である。
【図７】図７は、いくつかの実施形態において使用される、例示的な一定の送信電力パターンを図示している図である。
【図８】図８は、いくつかの実施形態において使用される、別の例示的な一定の送信電力パターンを図示している図である。
【図９】図９は、いくつかの実施形態において使用される、例示的な時間変動する送信電力パターンを図示している図である。
【図１０】図１０は、いくつかの実施形態において使用される、例示的な時間変動する送信電力パターンを図示している図である。
【図１１】図１１は、いくつかの実施形態において使用される、例示的な時間変動する送信電力パターンを図示している図である。
【図１２】図１２は、いくつかの実施形態において使用される、例示的な時間変動する送信電力パターンを図示している図である。
【図１３】図１３は、いくつかの実施形態において使用される、例示的な時間変動する送信電力パターンを図示している図である。
【図１４】図１４は、いくつかの実施形態において使用される、例示的な時間変動する送信電力パターンを図示している図である。
【図１５】図１５は、いくつかの実施形態において使用される、例示的な時間変動する送信電力パターンを図示している図である。
【図１６】図１６は、いくつかの実施形態において使用される、例示的な時間変動する送信電力パターンを図示している図である。
【図１７】図１７は、いくつかの実施形態において使用される、異なる時間変動する送信電力パターンに関係する例示的な代替的なパイロットシーケンスを図示している。
【図１８Ａ】図１８Ａは、例示的な実施形態にしたがった、ワイヤレス通信デバイスを動作させる例示的な方法のフローチャートの第１の部分である。
【図１８Ｂ】図１８Ｂは、例示的な実施形態にしたがった、ワイヤレス通信デバイスを動作させる例示的な方法のフローチャートの第２の部分である。
【図１９】図１９は、例示的な実施形態にしたがった、ピアツーピア通信をサポートする、例示的な通信デバイスを、例えば、移動体ワイヤレス端末を図示している。
【図２０】図２０は、図１９の例示的な通信デバイスにおいて使用できる、モジュールのアセンブリを図示している。
【図２１】図２１は、第１の時間の間に送信リソースの同じセットを共有している異なるデバイスが、それらのパイロット位相に基づいて、送信するための異なる送信電力レベルを使用している場合の例を図示している。
【図２２】図２２は、第２の時間の間に送信リソースの同じセットを共有している図２１の異なるデバイスが、それらのパイロット位相に基づいて、送信するための異なる送信電力レベルを使用している場合の例を図示している。
【詳細な説明】
【００１３】
図１は、さまざまな例示的な実施形態にしたがって実現される、例示的なピアツーピアワイヤレス通信システム１００を図示している。例示的な通信システム１００は、通信デバイス１ １０２、通信デバイス２ １０４、通信デバイス３ １０６、通信デバイス４ １０８、通信デバイス５ １１０、．．．、および通信デバイスｎ １１２を含む、複数のワイヤレス通信デバイスを含む。ワイヤレス通信デバイス（１０２、１０４、１０６、１０８、１１０、．．．、１１２） は、ピアツーピア通信をサポートする。ワイヤレス通信デバイス（１０２、１０４、１０６、１０８、１１０、．．．、１１２） は、ピア間のさまざまなタイプのシグナリングを、例えば、ピア発見信号、ページング信号、トラフィックデータ送信等をサポートする。ワイヤレス通信デバイスのうちのいくつか、例えば、デバイス１０２、１０４、１０８、１１０、および１１２は、移動体通信デバイス、例えば、ハンドへルド移動体通信デバイスのような移動体ワイヤレス端末である。他の何らかのデバイス、例えば、デバイス３ １０６は、例えば、ピアツーピアシグナリングプロトコルをサポートするワイヤレスインターフェースと、バックホールネットワークへの結合を提供するワイヤードインターフェースとを含むアクセスルータデバイスのような固定ロケーションデバイスであってもよい。例示的な通信デバイス３ １０６は、ワイヤードまたはファイバーネットワーク接続１２６を通して、インターネットおよび／または他のネットワークノードへのアクセスを提供する。
【００１４】
例示的な通信システム１００は、通信リソースのセットを、例えば、ピア発見リソースのセット、ページング／接続確立リソースのセットおよび／またはピアツーピアトラフィックシグナリングリソースのセットを含む循環するピアツーピアタイミング構造を使用する。システム１００における１つ以上の通信デバイスは、ピア発見エアリンクリソースを使用して、ピア発見データを含むピア発見信号を、送信、例えば、ブロードキャストしてもよい。例示的なピア発見データは、例えば、デバイス識別子、デバイス情報、ユーザ識別子、ユーザ情報、グループ識別子、デバイスまたはユーザに対する要求、サービスに対する要求、製品に対する要求、情報に対する要求、サービスの提案、製品の提案、位置情報等を含む。デバイスは、エアリンクリソースにおけるトラフィック送信を使用して、他のタイプの信号も、例えば、音声、テキスト、および／または、イメージデータを含むユーザデータのような、例えばピアツーピアトラフィックデータを含むピアツーピアトラフィック信号も、通信システム１００における他の通信デバイスのうちの１つ以上に送信してもよい。送信され得る別の例示的なタイプの信号は、ページング信号、例えば、デバイス通知信号である。ページング信号は、例えば、ページング／接続確立エアリンクリソースを使用して伝えられる、ピアツーピアページング信号であってもよい。
【００１５】
図１中の図示の目的のために、例えば、ピア発見データを含むピア発見信号１２０を送信する通信デバイス１ １０２が示されており、このピア発見信号１２０は、その近傍にある他のデバイスによって検出されてもよい。同様に、例えば、ピア発見データを含むピア発見信号１２４を送信する通信デバイス２ １０４が示されており、このピア発見信号１２４は、その近傍にある他のデバイスによって検出されてもよい。加えて、例えば、ピア発見データを含むピア発見信号１２２を送信する通信デバイス５ １１０が示されており、ピア発見信号１２２は、その近傍にある他のデバイスによって検出されてもよい。
【００１６】
例えば、１つ以上の通信デバイスが、ネットワークによってカバーされているエリアに入ったり、または、そのエリアを出たりするように、ならびに／あるいは、ローカルエリア中のさまざまなデバイスが電源投入することを決めたり、または、シャットダウンすることを決めたりするように、ピアツーピアプロトコルを使用して互いに通信しようと試みる、システム１００における通信デバイスの数が、いくつかの実施形態において、動的に変わることを正しく認識すべきである。したがって、ある時点では、ネットワーク輻輳は、低いかもしれない一方で、またある時には、ネットワーク輻輳は高いかもしれない。さまざまな実施形態では、ネットワーク輻輳が高いときは、複数のデバイスが、ピア発見エアリンクリソースの同じセット上でピア発見信号を送信しているかもしれず、時には送信している。このようないくつかの実施形態では、ピア発見エアリンクリソースの共通のセット上で送信している異なるワイヤレスデバイスは、異なるパイロットシーケンスを使用する。いくつかの実施形態では、ピア発見エアリンクリソースの同じセット上でピア発見信号を同時に送信している異なるワイヤレス通信デバイスは、異なる送信電力レベルでピア発見データを送信してもよく、時には送信する。
【００１７】
いくつかの実施形態では、ワイヤレスデバイスが、ネットワーク輻輳の量を決定して、ネットワーク輻輳のその決定された量に応じて、異なる動作モード間を切り替える。いくつかの実施形態では、異なる動作モードは、一定の送信電力の動作モードと、時間変動する送信電力の動作モードとを含み、この一定の送信電力の動作モードでは、ワイヤレス通信デバイスは、一定の送信電力レベルで、データを、例えば、ピア発見データを送信し、この時間変動する送信電力の動作モードでは、ワイヤレス通信デバイスは、時間の関数として変動する電力レベルを使用して、データを、例えば、ピア発見データを送信する。いくつかの実施形態では、一定の送信電力の動作モードは、決定された低いレベルの輻輳に対応し、時間変動する送信電力の動作モードは、決定された高いレベルの輻輳に対応する。いくつかの実施形態では、ピア発見エアリンクリソースの同じセット上で送信している２つのピアツーピアデバイスは、同時にではあるが異なる送信電力レベルで、ピア発見データを、送信してもよく、時には送信する。
【００１８】
図２は、複数のピアツーピアタイミング構造間隔（ピアツーピアタイミング構造間隔１ ２０２、ピアツーピアタイミング構造間隔２ ２０４、ピアツーピアタイミング構造間隔３ ２０６、．．．、ピアツーピアタイミング構造間隔Ｍ ２０８）を含む、例示的な循環するピアツーピアタイミング構造２００を図示している。水平軸２０１は、時間を表している。循環するタイミング構造２００におけるピアツーピアタイミング構造間隔のそれぞれ（２０２、２０４、２０６、．．．、２０８）は、複数のサブ間隔を、例えば、同じ複数のサブ間隔を含む。例示的なピアツーピアタイミング構造間隔１ ２０２は、ピア発見時間間隔２１０と、ページング／接続確立時間間隔２１２と、トラフィック送信時間間隔２１４とを含む。
【００１９】
図３は、例示的なピアツーピア循環するタイミング構造における例示的なピア発見エアリンクリソースを図示している、例示的な周波数対時間プロット３００の図である。周波数対時間プロット３００は、周波数を、例えば、ＯＦＤＭトーンを表している垂直軸３０２と、時間を、例えば、ＯＦＤＭシンボル送信時間間隔を表している水平軸３０４とを含む。この例では、循環するタイミング構造中に、Ｍ個のピア発見間隔（発見間隔１ ２１０、発見間隔２ ３１２、．．．、発見間隔Ｍ ３１４）が存在する。ピア発見エアリンクリソース３０６は、ピア発見間隔１ ２１０の間に生じる；ピア発見エアリンクリソース３０８は、ピア発見間隔２ ３１２の間に生じる；および、ピア発見エアリンクリソース３１０は、発見間隔Ｍ ３１４の間に生じる。
【００２０】
図４は、図３中で図示されているピア発見リソースブロック内の例示的なピア発見リソースセットを図示している、例示的な周波数対時間プロット４００の図である。ピア発見エアリンクリソースブロック３０６は、高い周波数から低い周波数の順に、ピア発見リソースセット１ ４０２と、ピア発見リソースセット２ ４０４と、ピア発見リソースセット３ ４０６と、ピア発見リソースセット４ ４０８と、ピア発見リソースセット５ ４１０と、ピア発見リソースセット６ ４１２と、ピア発見リソースセット７ ４１４と、ピア発見リソースセット８ ４１６と、ピア発見リソースセット９ ４１８と、ピア発見リソースセット１０ ４２０と、ピア発見リソースセット１１ ４２２と、ピア発見リソースセット１２ ４２４と、ピア発見リソースセット１３ ４２６と、ピア発見リソースセット１４ ４２８とを含む。ピア発見エアリンクリソースブロック３０８は、高い周波数から低い周波数の順に、ピア発見リソースセット１ ４３２と、ピア発見リソースセット２ ４３４と、ピア発見リソースセット３ ４３６と、ピア発見リソースセット４ ４３８と、ピア発見リソースセット５ ４４０と、ピア発見リソースセット６ ４４２と、ピア発見リソースセット７ ４４４と、ピア発見リソースセット８ ４４６と、ピア発見リソースセット９ ４４８と、ピア発見リソースセット１０ ４５０と、ピア発見リソースセット１１ ４５２と、ピア発見リソースセット１２ ４５４と、ピア発見リソースセット１３ ４５６と、ピア発見リソースセット１４ ４５８とを含む。ピア発見エアリンクリソースブロック３１０は、高い周波数から低い周波数の順に、ピア発見リソースセット１ ４６２と、ピア発見リソースセット２ ４６４と、ピア発見リソースセット３ ４６６と、ピア発見リソースセット４ ４６８と、ピア発見リソースセット５ ４７０と、ピア発見リソースセット６ ４７２と、ピア発見リソースセット７ ４７４と、ピア発見リソースセット８ ４７６と、ピア発見リソースセット９ ４７８と、ピア発見リソースセット１０ ４８０と、ピア発見リソースセット１１ ４８２と、ピア発見リソースセット１２ ４８４と、ピア発見リソースセット１３ ４８６と、ピア発見リソースセット１４ ４８８とを含む。
【００２１】
ピア発見通信チャネルは、セット番号に関係するピア発見リソースセットを含んでいてもよい。例えば、第１のピア発見通信チャネルは、セット番号１（４０２、４３２、．．．、４６２）に関係するピア発見リソースセットを含んでいてもよい。同様に、第２のピア発見通信チャネルは、セット番号２（４０４、４３４、．．．、４６４）等に関係するピア発見リソースセットを含んでいてもよい。
【００２２】
図４の例では、ピア発見リソースブロックは、１４個の例示的なピア発見リソースセットに区分されている。他の例では、ピア発見リソースブロックは、異なる数のピア発見リソースセットを含んでいてもよい。いくつかのこのような実施形態では、ピア発見リソースブロックは、１００個のピア発見リソースセットよりも多く含む。いくつかの実施形態では、同じピア発見リソースセットが、それぞれの連続するピア発見リソースブロック中に必ずしも含まれているとは限らない。いくつかの実施形態では、ピア発見リソースブロックにおいて同じトーンに対応する複数のピア発見リソースセットが、例えば、ピア発見間隔の第１のサブ時間間隔に対する第１のピア発見リソースセットと、ピア発見間隔の第２のサブ時間間隔に対する第２のピア発見リソースセットとが存在していてもよい。
【００２３】
図５は、例示的なピア発見リソースセットｉ５０２を図示している図５００である。例示的なピア発見リソースセットｉ５０２は、図４中で図示されているピア発見リソースセットのうちの任意のものであってもよい。ピア発見リソースセットｉ ５０２は、Ｋ個のＯＦＤＭシンボルの送信時間期間５０６の時間量の間に、１トーン ５０４を含む。例示的なピア発見リソースセットｉ ５０２は、Ｋ個のＯＦＤＭトーンシンボル（ＯＦＤＭトーンシンボル１ ５０８、ＯＦＤＭトーンシンボル２ ５１０、ＯＦＤＭトーンシンボル３ ５１２、ＯＦＤＭトーンシンボル４ ５１４、ＯＦＤＭトーンシンボル５ ５１６、ＯＦＤＭトーンシンボル６ ５１８、．．．、ＯＦＤＭトーンシンボルＫ ５２０）として表してもよい。いくつかの実施形態では、Ｋは、８よりも大きい、または、８に等しい整数である。１つの例示的な実施形態では、Ｋ＝１６であり、ピア発見リソースセット中に１６個のＯＦＤＭトーンシンボルが存在する。別の例示的な実施形態では、Ｋ＝６４であり、ピア発見リソースセット中に６４個のＯＦＤＭトーンシンボルが存在する。いくつかの実施形態では、Ｋ個のトーンシンボルのＫPは、パイロットトーンシンボルであり、ここで、Ｋ／ＫP≧４である。１つの実施形態では、Ｋ＝６４であり、ＫP＝８である。１つの実施形態では、Ｋ＝７２であり、ＫP＝８である。いくつかの実施形態では、Ｋ個のトーンシンボルの完全セットは、同じトーンに対応する。
【００２４】
図６は、パイロットシンボルとデータシンボルとを伝えるために使用される例示的なピア発見リソースセット６０２を図示している図６００である。ピア発見リソースセット６０２は、例えば、図５のピア発見リソースセット５０２であり、ここで、Ｋ＝１６であり、ＫP＝４である。例示的なピア発見リソースセット６０２は、１６個の、インデックスされているＯＦＤＭトーンシンボル（トーンシンボル１ ６０４、トーンシンボル２ ６０６、トーンシンボル３ ６０８、トーンシンボル４ ６１０、トーンシンボル５ ６１２、トーンシンボル６ ６１４、トーンシンボル７ ６１６、トーンシンボル８ ６１８、トーンシンボル９ ６２０、トーンシンボル１０ ６２２、トーンシンボル１１ ６２４、トーンシンボル１２ ６２６、トーンシンボル１３ ６２８、トーンシンボル１４ ６３０、トーンシンボル１５ ６３２、およびトーンシンボル１６ ６３４）を含む。
【００２５】
凡例６３６のボックス６３８によって示されているような、陰影が付いている斜線は、パイロットシンボルを伝えるために、ピア発見リソースセットのＯＦＤＭトーンシンボルが使用されることを示している。凡例６３６のボックス６４０によって示されているような、陰影が付いている水平線は、データシンボルを伝えるために、ピア発見リソースセットのＯＦＤＭトーンシンボルが使用されることを示している。この例では、パイロットシンボルを伝えるために使用されるように、トーンシンボルの第１のサブセット（６０６、６１４、６２２、および６３０）が指定されている一方で、データシンボルを伝えるために、トーンシンボルの第２のオーバーラップしていないサブセット（６０４、６０８、６１０、６１２、６１６、６１８、６２０、６２４、６２６、６２８、６３２、６３４）が使用される。この例では、パイロット指定されたトーンシンボル間のスペーシングは、パイロット指定されたトーンシンボル間の空所を占めている複数のデータシンボル指定されたトーンシンボルと均一である。いくつかの実施形態では、パイロット指定されたトーンシンボル間のスペーシングは、実質的に均一である。１つの実施形態では、パイロットシンボルを一時的に伝えるように指定されているトーンシンボルは、データシンボルを伝えるように指定されているトーンシンボルに先行する。いくつかの実施形態では、ピア発見リソースセットの、最初のトーンシンボルと最後のトーンシンボルは、パイロットシンボルを伝えるように指定されている。
【００２６】
図６の例では、トーンシンボル（６０６、６１４、６２２、および６３０）が、それぞれ、パイロットシンボル（Ｐ１ ６４４、Ｐ２ ６５２、Ｐ３ ６６０、およびＰ４ ６６８）を伝える。図６の例では、トーンシンボル（６０４、６０８、６１０、６１２、６１６、６１８、６２０、６２４、６２６、６２８、６３２、６３４）が、それぞれ、データシンボル（Ｄ１ ６４２、Ｄ２ ６４６、Ｄ３ ６４８、Ｄ４ ６５０、Ｄ５ ６５４、Ｄ６ ６５６、Ｄ７ ６５８、Ｄ８ ６６２、Ｄ９ ６６４、Ｄ１０ ６６６、Ｄ１１ ６７０、Ｄ１２ ６７２）を伝える。
【００２７】
図７は、いくつかの実施形態において使用される、例示的な一定の送信電力パターンを図示している図７００である。例えば、いくつかの実施形態において、ワイヤレス通信デバイスが一定の送信電力の動作モードの間に送信するとき、ピアツーピアタイミング構造におけるピア発見間隔（ＰＤ 間隔１、ＰＤ 間隔２、ＰＤ 間隔３、ＰＤ 間隔４、ＰＤ 間隔５、ＰＤ 間隔６、．．．）の間に、図７の例示的な一定の送信電力パターンＡがワイヤレス通信デバイスによって使用される。垂直軸が、送信電力レベルを表している一方で、水平軸は、時間を表している。電力レベルＰcは、ピア発見間隔の間に送信された、パイロット信号とデータ信号との両方によって使用される一定の送信電力レベルである。ＰPが、パイロット信号の電力レベルを表している一方で、ＰDは、データ信号のパイロットレベルを表しており、このケースでは両方とも、Ｐcに等しい。
【００２８】
図８は、いくつかの実施形態において使用される、別の例示的な一定の送信電力パターンを図示している図８００である。例えば、いくつかの実施形態では、ワイヤレス通信デバイスが一定の送信電力の動作モードの間に送信するとき、ピアツーピアタイミング構造におけるピア発見間隔（ＰＤ 間隔１、ＰＤ 間隔２、ＰＤ 間隔３、ＰＤ 間隔４、ＰＤ 間隔５、ＰＤ 間隔６、．．．）の間に、図８の例示的な一定の送信電力パターンＢがワイヤレス通信デバイスによって使用される。垂直軸が、送信電力レベルを表している一方で、水平軸は、時間を表している。電力レベルＰCPは、ピア発見間隔の間に送信されるパイロット信号によって使用される一定の送信電力レベルである。電力レベルＰCDは、ピア発見間隔の間に送信されるデータ信号によって使用される一定の送信電力レベルである。ＰPが、ＰCPに等しいパイロット信号の電力レベルを表している一方で、ＰDは、ＰCDに等しいデータ信号のパイロットレベルを表している。図８の例では、パイロット信号およびデータ信号は、異なる一定の電力レベルで送信される。
【００２９】
図９は、いくつかの実施形態において使用される、例示的な時間変動する送信電力パターンを図示している図９００である。例えば、いくつかの実施形態では、ワイヤレス通信デバイスが時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間に、図９の例示的な時間変動する送信電力パターンＡ１がワイヤレス通信デバイスによって使用される。垂直軸が、送信電力レベルを表している一方で、水平軸は、時間を表している。この例では、３つの異なる電力レベル、Ｐ1、Ｐ2、およびＰ3が存在しており、ここで、Ｐ1＞Ｐ2＞Ｐ3である。ＰPが、パイロット信号の電力レベルを表している一方で、ＰDは、データ信号の電力レベルを表している。この例では、パイロット信号は、ピア発見間隔のそれぞれ（ＰＤ間隔１、ＰＤ間隔２、ＰＤ間隔３、ＰＤ間隔４、ＰＤ間隔５、ＰＤ間隔６、．．．）中に、一定の電力レベルＰ1で送信される。しかしながら、送信されるデータ信号の電力レベルは、予め定められたスケジュールにしたがって、時間の関数として変動する。ピア発見間隔１の間に、データ信号は、電力レベルＰ1で送信される；ピア発見間隔２の間に、データ信号は、電力レベルＰ2で送信される；ピア発見間隔３の間に、データ信号は、電力レベルＰ3で送信される。その後、パターンは、繰り返される。ピア発見間隔４の間に、データ信号は、電力レベルＰ1で送信される；ピア発見間隔５の間に、データ信号は、電力レベルＰ2で送信される；ピア発見間隔６の間に、データ信号は、電力レベルＰ3で送信される。
【００３０】
図１０は、いくつかの実施形態において使用される、例示的な時間変動する送信電力パターンを図示している図１０００である。例えば、いくつかの実施形態では、ワイヤレス通信デバイスが、時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間に、図１０の例示的な時間変動する送信電力パターンＢ１がワイヤレス通信デバイスによって使用される。垂直軸が、送信電力レベルを表している一方で、水平軸は、時間を表している。この例では、３つの異なる電力レベル、Ｐ1、Ｐ2、およびＰ3が存在しており、ここで、Ｐ1＞Ｐ2＞Ｐ3である。ＰPが、パイロット信号の電力レベルを表している一方で、ＰDは、データ信号の電力レベルを表している。送信されるパイロット信号およびデータ信号の電力レベルは、予め定められたスケジュールにしたがって、時間の関数として変動する。ピア発見間隔１の間に、パイロット信号およびデータ信号は、電力レベルＰ1で送信される；ピア発見間隔２の間に、パイロット信号およびデータ信号は、電力レベルＰ2で送信される；ピア発見間隔３の間に、パイロット信号およびデータ信号は、電力レベルＰ3で送信される。その後、パターンは繰り返される。ピア発見間隔４の間に、パイロット信号およびデータ信号は、電力レベルＰ1で送信される；ピア発見間隔５の間に、パイロット信号およびデータ信号は、電力レベルＰ2で送信される；ピア発見間隔６の間に、パイロット信号およびデータ信号は、電力レベルＰ3で送信される。
【００３１】
図１１は、いくつかの実施形態において使用される、例示的な時間変動する送信電力パターンを図示している図１１００である。例えば、いくつかの実施形態では、ワイヤレス通信デバイスが、時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間に、図１１の例示的な時間変動する送信電力パターンＢ２がワイヤレス通信デバイスによって使用される。垂直軸は、送信電力レベルを表している一方で、水平軸は、時間を表している。この例では、３つの異なる電力レベル、Ｐ1、Ｐ2、およびＰ3が存在しており、ここで、Ｐ1＞Ｐ2＞Ｐ3である。ＰPは、パイロット信号の電力レベルを表している一方で、ＰDは、データ信号の電力レベルを表している。送信されるパイロット信号およびデータ信号の電力レベルは、予め定められたスケジュールにしたがって、時間の関数として変動する。ピア発見間隔１の間に、パイロット信号およびデータ信号は、電力レベルＰ2で送信される；ピア発見間隔２の間に、パイロット信号およびデータ信号は、電力レベルＰ3で送信される；ピア発見間隔３の間に、パイロット信号およびデータ信号は、電力レベルＰ1で送信される。その後、パターンは繰り返される。ピア発見間隔４の間に、パイロット信号およびデータ信号は、電力レベルＰ2で送信される；ピア発見間隔５の間に、パイロット信号およびデータ信号は、電力レベルＰ3で送信される；ピア発見間隔６の間に、パイロット信号およびデータ信号は、電力レベルＰ1で送信される。
【００３２】
図１２は、いくつかの実施形態において使用される、例示的な時間変動する送信電力パターンを図示している図１２００である。例えば、いくつかの実施形態では、ワイヤレス通信デバイスが、時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間に、図１２の例示的な時間変動する送信電力パターンＢ３がワイヤレス通信デバイスによって使用される。垂直軸が、送信電力レベルを表している一方で、水平軸は、時間を表している。この例では、３つの異なる電力レベル、Ｐ1、Ｐ2、およびＰ3が存在しており、ここで、Ｐ1＞Ｐ2＞Ｐ3である。ＰPが、パイロット信号の電力レベルを表している一方で、ＰDは、データ信号の電力レベルを表している。送信されるパイロット信号およびデータ信号の電力レベルは、予め定められたスケジュールにしたがって、時間の関数として変動する。ピア発見間隔１の間に、パイロット信号およびデータ信号は、電力レベルＰ3で送信される；ピア発見間隔２の間に、パイロット信号およびデータ信号は、電力レベルＰ1で送信される；ピア発見間隔３の間に、パイロット信号およびデータ信号は、電力レベルＰ2で送信される。その後、パターンは繰り返される。ピア発見間隔４の間に、パイロット信号およびデータ信号は、電力レベルＰ3で送信される；ピア発見間隔５の間に、パイロット信号およびデータ信号は、電力レベルＰ1で送信される；ピア発見間隔６の間に、パイロット信号およびデータ信号は、電力レベルＰ2で送信される。
【００３３】
図１３は、いくつかの実施形態において使用される、例示的な時間変動する送信電力パターンを図示している図１３００である。例えば、いくつかの実施形態では、ワイヤレス通信デバイスが、時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間に、図１３００の例示的な時間変動する送信電力パターンＣ１がワイヤレス通信デバイスによって使用される。垂直軸が、送信電力レベルを表している一方で、水平軸は、時間を表している。この例では、３つの異なる電力レベル、Ｐ1、Ｐ2、およびＰ3が存在しており、ここで、Ｐ1＞Ｐ2＞Ｐ3である。ＰPは、パイロット信号の電力レベルを表している一方で、ＰDは、データ信号の電力レベルを表している。送信されるパイロット信号およびデータ信号の電力レベルは、予め定められたスケジュールにしたがって、時間の関数として変動する。ピア発見間隔１の間に、パイロット信号およびデータ信号は、電力レベルＰ3で送信される；ピア発見間隔２の間に、パイロット信号およびデータ信号は、電力レベルＰ3で送信される；ピア発見間隔３の間に、パイロット信号およびデータ信号は、電力レベルＰ1で送信される。ピア発見間隔４の間に、パイロット信号およびデータ信号は、電力レベルＰ1で送信される；ピア発見間隔５の間に、パイロット信号およびデータ信号は、電力レベルＰ2で送信される；ピア発見間隔６の間に、パイロット信号およびデータ信号は、電力レベルＰ2で送信される。その後、パターンは繰り返される。
【００３４】
図１４は、いくつかの実施形態において使用される、例示的な時間変動する送信電力パターンを図示している図１４００である。例えば、いくつかの実施形態では、ワイヤレス通信デバイスが、時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間、図１４の例示的な時間変動する送信電力パターンＤ１がワイヤレス通信デバイスによって使用される。垂直軸が、送信電力レベルを表している一方で、水平軸は、時間を表している。この例では、４つの異なる電力レベル、ＰCP、Ｐ1、Ｐ2、およびＰ3が存在しており、ここで、ＰCP＞Ｐ1＞Ｐ2＞Ｐ3である。ＰPが、パイロット信号の電力レベルを表している一方で、ＰDは、データ信号の電力レベルを表している。この例では、パイロット信号は、ピア発見間隔のそれぞれ（ＰＤ間隔１、ＰＤ間隔２、ＰＤ間隔３、ＰＤ間隔４、ＰＤ間隔５、ＰＤ間隔６、．．．）中に、一定の電力レベルＰCPで送信される。しかしながら、送信されるデータ信号の電力レベルは、予め定められたスケジュールにしたがって、時間の関数として変動する。ピア発見間隔１の間に、データ信号は、電力レベルＰ1で送信される；ピア発見間隔２の間に、データ信号は、電力レベルＰ2で送信される；ピア発見間隔３の間に、データ信号は、電力レベルＰ3で送信される。その後、パターンは繰り返される。ピア発見間隔４の間に、データ信号は、電力レベルＰ1で送信される；ピア発見間隔５の間に、データ信号は、電力レベルＰ2で送信される；ピア発見間隔６の間に、データ信号は、電力レベルＰ3で送信される。
【００３５】
図１５は、いくつかの実施形態において使用される、例示的な時間変動する送信電力パターンを図示している図１５００である。例えば、いくつかの実施形態では、ワイヤレス通信デバイスが、時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間に、図１５の例示的な時間変動する送信電力パターンＤ２がワイヤレス通信デバイスによって使用される。垂直軸が、送信電力レベルを表している一方で、水平軸は、時間を表している。この例では、４つの異なる電力レベル、ＰCP、Ｐ1、Ｐ2、およびＰ3が存在しており、ここで、ＰCP＞Ｐ1＞Ｐ2＞Ｐ3である。ＰPが、パイロット信号の電力レベルを表している一方で、ＰDは、データ信号の電力レベルを表している。この例では、パイロット信号は、ピア発見間隔のそれぞれ（ＰＤ間隔１、ＰＤ間隔２、ＰＤ間隔３、ＰＤ間隔４、ＰＤ間隔５、ＰＤ間隔６、．．．）中に、一定の電力レベルＰCPで送信される。しかしながら、送信されるデータ信号の電力レベルは、予め定められたスケジュールにしたがって、時間の関数として変動する。ピア発見間隔１の間に、データ信号は、電力レベルＰ2で送信される；ピア発見間隔２の間に、データ信号は、電力レベルＰ3で送信される；ピア発見間隔３の間に、データ信号は、電力レベルＰ1で送信される。その後、パターンは繰り返される。ピア発見間隔４の間に、データ信号は、電力レベルＰ2で送信される；ピア発見間隔５の間に、データ信号は、電力レベルＰ3で送信される；ピア発見間隔６の間に、データ信号は、電力レベルＰ1で送信される。
【００３６】
図１６は、いくつかの実施形態において使用される、例示的な時間変動する送信電力パターンを図示している図１６００である。例えば、いくつかの実施形態では、ワイヤレス通信デバイスが、時間変動する送信電力の動作モードの間に送信するとき、ピアツーピアタイミング構造におけるピア発見間隔（ＰＤ間隔１、ＰＤ間隔２、ＰＤ間隔３、ＰＤ間隔４、ＰＤ間隔５、ＰＤ間隔６、．．．）の間に、図１６の例示的な時間変動する送信電力パターンＤ３がワイヤレス通信デバイスによって使用される。垂直軸が、送信電力レベルを表している一方で、水平軸は、時間を表している。この例では、４つの異なる電力レベル、ＰCP、Ｐ1、Ｐ2、およびＰ3が存在しており、ここで、ＰCP＞Ｐ1＞Ｐ2＞Ｐ3である。ＰPが、パイロット信号の電力レベルを表している一方で、ＰDは、データ信号の電力レベルを表している。この例では、パイロット信号は、ピア発見間隔のそれぞれ（ＰＤ間隔１、ＰＤ間隔２、ＰＤ間隔３、ＰＤ間隔４、ＰＤ間隔５、ＰＤ間隔６、．．．）中に、一定の電力レベルＰCPで送信される。しかしながら、送信されるデータ信号の電力レベルは、予め定められたスケジュールにしたがって、時間の関数として変動する。ピア発見間隔１の間に、データ信号は、電力レベルＰ3で送信される；ピア発見間隔２の間に、データ信号は、電力レベルＰ1で送信される；ピア発見間隔３の間に、データ信号は、電力レベルＰ2で送信される。その後、パターンは繰り返される。ピア発見間隔４の間に、データ信号は、電力レベルＰ3で送信される；ピア発見間隔５の間に、データ信号は、電力レベルＰ1で送信される；ピア発見間隔６の間に、データ信号は、電力レベルＰ2で送信される。
【００３７】
いくつかの実施形態では、例えば、図８、図９、図１０、図１１、図１２、図１３、図１４、図１５、および／または図１６のうちの１つ以上において記述されている電力レベルＰDは、例えば、ピア発見間隔中にデータを伝えるトーンシンボルに基づく、トーンシンボルあたりの何らかの平均電力レベルを表している。いくつかの実施形態では、例えば、図８、図９、図１０、図１１、図１２、図１３、図１４、図１５、および／または図１６のうちの１つ以上において記述されている、電力レベルＰPは、ピア発見間隔中にパイロットを伝える、トーンに対するトーンシンボルあたりの電力レベルを表している。
【００３８】
図１７は、いくつかの実施形態において使用される、異なる時間変動する送信電力パータ―ンに関係する例示的な代替的なパイロットシーケンスを図示している。図１７は、例示的な代替的なパイロットシーケンス１７０１のテーブルと、複素平面への、２つのパイロットシンボルのセットのマッピングを図示しているプロット１７５０とを図示している図１７００を含む。プロット１７５０は、実軸を表している水平軸１７５２と、虚軸を表している垂直軸１７５４とを含んでいる。「＋」として指定されているパイロットシンボル１７５６は、実軸に沿って、０度の位相角でマッピングしている一方で、「−」として指定されているパイロットシンボル１７５８は、実軸に沿って、１８０度の位相角でマッピングしている。「＋」のパイロットシンボルの送信電力レベルは、ピア発見間隔の間の、ピア発見リソースセット内の「−」のパイロットシンボルの送信電力レベルと同じである。異なるパイロットシーケンスの使用が、送信リソースの利用と再使用とを改善させ、干渉問題を緩和させるのに役立つことを正しく認識すべきである。
【００３９】
表１７０１は、パイロットシーケンス番号を表している第１列１７０２と、代替パイロットシーケンスのそれぞれに対するパイロットシンボル１を識別する第２列１７０４と、代替パイロットシーケンスのそれぞれに対するパイロットシンボル２を識別する第３列１７０６と、代替パイロットシーケンスのそれぞれに対するパイロットシンボル３を識別する第４列１７０８と、代替パイロットシーケンスのそれぞれに対するパイロットシンボル４を識別する第５列１７１０とを含む。第６列１７１２は、ワイヤレス端末が一定の送信電力の動作モードで動作しており、特定のパイロットシーケンスを使用することを選択したときに使用される一定の送信電力パターンを識別する；第７列１７１４は、ワイヤレス端末が、時間変動する送信電力の動作モードで動作しており、特定のパイロットシーケンスを使用することを選択したときに使用される時間変動する送信パターンを識別する。
【００４０】
第１行１７２０は、パイロットシーケンス１がパターン＋、＋、＋、＋にしたがうことを示している。第１行１７２０はまた、ワイヤレス通信デバイスが、そのピア発見信号を送信していて、パイロットシーケンス１を使用することを選択したとき、そのワイヤレス通信デバイスは、一定の送信電力の動作モードで動作している場合には、図８の一定の送信パターンＢにしたがうことを、そして、そのワイヤレス通信デバイスは、時間変動する送信電力の動作モードで動作しているときには、図１４の時間変動する送信パターンＤ１にしたがうことを示している。第２行１７２２は、パイロットシーケンス２が、パターン＋、＋、−、−にしたがうことを示している。第２行１７２２はまた、ワイヤレス通信デバイスが、そのピア発見信号を送信していて、パイロットシーケンス２を使用することを選択したときに、そのワイヤレス通信デバイスは、一定の送信電力の動作モードで動作している場合には、図８の一定の送信パターンＢにしたがうことを、そして、そのワイヤレス通信デバイスが、時間変動する送信電力の動作モードで動作しているときには、図１５の時間変動する送信パターンＤ２にしたがうことを示している。第３行１７２４は、パイロットシーケンス３が、パターン＋、−、＋、−にしたがうことを示している。第３行１７２４はまた、ワイヤレス通信デバイスが、そのピア発見信号を送信していて、パイロットシーケンス３を使用することを選択したとき、そのワイヤレス通信デバイスは、一定の送信電力の動作モードで動作している場合には、図８の一定の送信パターンＢにしたがうことを、そして、そのワイヤレス通信デバイスは、時間変動する送信電力の動作モードで動作しているときには、図１６の時間変動する送信パターンＤ３にしたがうことも示している。いくつかの実施形態では、図１４、図１５、および図１６の電力レベルＰ1は、図８の電力レベルＰCDに等しい。
【００４１】
単一のデバイスが、特定のピア発見リソースチャネル上で送信している、例えば、単一のデバイスが、図４のセット２（４０４、４３４、．．．、４６４）で識別されるピア発見リソース中にピア発見信号を送信している、ネットワーク輻輳が低いシナリオを考慮する。単一のデバイスが、３つの代替パイロットシーケンスのうちの１つを使用することを選択した。さらに、ピア発見リソースセットのそれぞれ（４０４、４３４、４６４）は、図６の図６００の構成にしたがうことを考慮する。さらに、図８の一定の送信電力パターンＢを使用することを考慮する。
【００４２】
これから、複数のデバイスが、特定のピア発見リソースチャネル上で送信している、例えば、複数のデバイスが、図４のセット２（４０４、４３４、．．．、４６４）で識別されるピア発見リソース中にピア発見信号を同時に送信している、ネットワーク輻輳が高いシナリオを考慮する。３つの異なるデバイスが、３つの代替パイロットシーケンスのうちの異なるものを使用することを選択したことを考慮する。さらに、ピア発見リソースセットのそれぞれ（４０４、４３４、４６４）は、図６の図６００の構成にしたがうことを考慮する。第１のワイヤレス通信デバイスは、図１４の時間変動する送信パターンＤ１にしたがって、そのピア発見信号を送信する。第２のワイヤレス通信デバイスは、図１５の時間変動する送信パターンＤ２にしたがって、そのピア発見信号を送信する。第３のワイヤレス通信デバイスは、図１６の時間変動する送信パターンＤ３にしたがって、そのピア発見信号を送信する。
【００４３】
いくつかの実施形態では、例えば、そのピア発見データが他のデバイスによって検出され、首尾よく発見される可能性を増加させるために、ワイヤレス通信デバイスは、同じピア発見データ信号を複数回、送信してもよく、時には送信する。例えば、第１の、第２の、および第３のワイヤレス通信デバイスが、３つの連続したピア発見間隔の間に、同じピア発見データを送信した場合、いくつかのデバイスは、一定の送信パターンが使用された場合に、それらデバイスが別な方法では首尾よく復元することができないであろうピア発見データを首尾よく復元することができるかもしれない。図１４の異なる時間変動する送信パターンＤ１、図１５のＤ２、および図１６のＤ３は、データ信号に対する最大のデータ送信電力レベル信号（Ｐ１）が、異なるピア発見間隔の間に生じるように意図的に構成されている。
【００４４】
図１８Ａと図１８Ｂとを組み合わせたものからなる図１８は、例示的な実施形態にしたがった、ワイヤレス通信デバイスを動作させる例示的な方法のフローチャート１８００である。フローチャート１８００の方法を実現する例示的な通信デバイスは、例えば、ピア発見送信シグナリングに関して、一定の送信電力の動作モードと、時間変動する送信電力の動作モードとをサポートする。いくつかの実施形態では、一定の送信電力の動作モード、および、時間変動する送信電力の動作モードは、ブロードキャスト信号を送信するために使用される。いくつかのこのような実施形態では、ブロードキャスト信号は、ピア発見信号である。いくつかの実施形態では、フローチャート１８００の方法を実現するワイヤレス通信デバイスは、アドホック通信ネットワークにおけるワイヤレス端末である。さまざまな実施形態では、ワイヤレス端末は、基地局として動作しないハンドヘルドデバイスである。
【００４５】
ステップ１８０２において、動作が開始し、ステップ１８０２では、ワイヤレス通信デバイスが電源投入されて初期化され、ステップ１８０４に進む。ステップ１８０４では、ワイヤレス通信デバイスが、現在の動作モードを、例えば、一定の送信電力の動作モードに初期化する。動作は、ステップ１８０４からステップ１８０６に進む。
【００４６】
ステップ１８０６では、ワイヤレス通信デバイスが、送信リソースのセットを監視する。その後、ステップ１８０８では、ワイヤレス通信デバイスが、ネットワーク輻輳の量を決定する。いくつかの実施形態では、ステップ１８０８では、ワイヤレス通信デバイスが、送信リソースのセット上で検出されたエネルギーに基づいて、ネットワーク輻輳の量を決定する。いくつかの実施形態では、送信リソースのセットは、ピア発見リソースのセットである。動作は、ステップ１８０８からステップ１８１０に進む。
【００４７】
ステップ１８１０では、ワイヤレス通信デバイスが、ネットワーク輻輳の決定された量に応じて、一定の送信電力の動作モードと、前記時間変動する送信電力の動作モードとの間を切り替える。ステップ１８１０は、ステップ１８１２と、ステップ１８１４と、ステップ１８１６と、ステップ１８１８と、ステップ１８２０とを含む。
【００４８】
ステップ１８１２では、ワイヤレス通信が、ネットワーク輻輳の決定された量を、しきい値と、例えば、予め定められた輻輳しきい値と比較する。ステップ１８０８から決定された輻輳の量が、しきい値より上である場合に、動作は、ステップ１８１２からステップ１８１８に進む；そうでない場合には、動作は、ステップ１８１２からステップ１８１４に進む。
【００４９】
ステップ１８１４では、ワイヤレス通信デバイスが、その現在の動作モードが一定の送信電力の動作モードであるか否かを決定する。現在の動作モードが一定の送信電力の動作モードである場合、動作は、ステップ１８１４からステップ１８２１に進む。しかしながら、現在の動作モードが、一定の送信電力の動作モードでない場合、動作は、ステップ１８１４からステップ１８１６に進む。ステップ１８１６では、ワイヤレス通信デバイスが、時間変動する送信電力の動作モードから、一定の送信電力の動作モードに切り替える。動作は、ステップ１８１６からステップ１８２１に進む。
【００５０】
ステップ１８２１では、ワイヤレス通信デバイスが、一定の送信電力の動作モードの間に、信号を送信する。ステップ１８２１は、ステップ１８２２を含む。いくつかの実施形態では、ステップ１８２１は、ステップ１８２４を含む。いくつかの実施形態では、ステップ１８２１は、ステップ１８２５を含む。ステップ１８２２では、ワイヤレス通信デバイスが、一定の送信電力の動作モードの間に、一定の送信電力レベルでデータを送信する。いくつかの実施形態では、一定の送信電力レベルは、平均電力レベルである。ステップ１８２４では、ワイヤレス通信デバイスが、一定の送信電力の動作モードの間に、第１の電力レベルでパイロットを送信する。ステップ１８２５では、ワイヤレス通信デバイスが、前記一定の送信電力の動作モードの間に、データと同じ電力レベルでパイロットを送信する。送信リソースのセットの監視のために、動作は、ステップ１８２１からステップ１８０６に進む。
【００５１】
ステップ１８１８に戻ると、ステップ１８１８では、現在の動作モードが、時間変動する送信電力の動作モードであるか否かを、ワイヤレス通信デバイスが決定する。現在の動作モードが、時間変動する送信電力の動作モードである場合、動作は、接続ノードＡ１８２６を通して、ステップ１８１８からステップ１８３５に進む。しかしながら、現在の動作モードが、時間変動する動作モードでない場合、動作は、ステップ１８１８からステップ１８２０に進む。ステップ１８２０では、ワイヤレス通信デバイスが、一定の送信電力の動作モードから、時間変動する送信電力の動作モードに切り替える。いくつかの実施形態では、動作は、接続ノードＢ１８２８を通して、ステップ１８２０から、代替ステップ１８３０、１８３２、１８３４のうちの１つに進む。他の実施形態では、動作は、接続ノードＢ１８２８を通して、ステップ１８２０からステップ１８３５に進む。
【００５２】
ステップ１８３０に戻ると、ステップ１８３０では、ワイヤレス通信デバイスが、時間変動する送信電力の動作モードの間の時間の関数としての送信電力レベルを制御するように、複数の異なる送信電力レベルパターンのうちの１つをランダムに選択する。動作は、ステップ１８３０からステップ１８３５に進む。
【００５３】
ステップ１８３２に戻ると、ステップ１８３２では、ワイヤレス通信デバイスが、送信電力レベルを制御するように、時間変動する送信電力の動作モードの間の異なる時点において、複数の異なる送信電力レベルのうちの１つをランダムに選択する。動作は、ステップ１８３２からステップ１８３５に進む。
【００５４】
ステップ１８３４に戻ると、ステップ１８３４では、ワイヤレス通信デバイスが、そのワイヤレス通信デバイスの近傍にあるデバイスによって複数のパイロットシーケンスのうちのどのパイロットシーケンスが使用されるかに基づいて、時間変動する送信電力の動作モードの間の時間の関数としての送信電力レベルを制御するように、複数の異なる電力レベル送信パターンのうちの１つを選択する。例えば、ワイヤレス通信デバイスは、その近傍にある他のデバイスによって使用されていないパイロットシーケンスに関係する電力レベル送信パターンを選択する。いくつかの実施形態では、ステップ１８３４では、ワイヤレス通信デバイスは、送信のために同じワイヤレスリソースを使用する、そのワイヤレス通信デバイスの近傍にあるデバイスによって、複数のパイロットシーケンスのうちのどのパイロットシーケンスが使用されるかに基づいて、時間変動する送信電力の動作モードの間の時間の関数としての送信電力レベルを制御するように、複数の異なる電力レベル送信パターンのうちの１つを選択する。例えば、ワイヤレス通信デバイスは、送信のために同じワイヤレスリソースを使用している、その近傍にある他のデバイスによって使用されていないパイロットシーケンスに関係する電力レベル送信パターンを選択する。動作は、ステップ１８３４からステップ１８３５に進む。
【００５５】
ステップ１８３５では、ワイヤレス通信デバイスが、時間変動する送信電力の動作モードの間に信号を送信する。ステップ１８３５は、ステップ１８３６を含む。いくつかの実施形態では、ステップ１８３５は、ステップ１８３８を含む。いくつかの実施形態では、ステップ１８３５は、ステップ１８３９を含む。ステップ１８３６では、ワイヤレス通信デバイスが、時間の関数として変動する電力レベルを使用して、時間変動する送信電力の動作モードの間にデータを送信する。いくつかの実施形態では、時間変動する電力の動作モードの間に送信された信号は、ピア発見信号であるブロードキャスト信号であり、時間変動する送信電力の動作モードの間にデータを送信することは、異なるピア発見送信時間期間の間に異なる電力レベルで、同じピア発見情報を複数回送信することを含む。いくつかの実施形態では、データは、時間変動する送信の動作モードの間に、異なる時間において送信され、少なくとも３つの異なる電力レベルが使用される。このようないくつかの実施形態では、少なくとも３つの異なる電力レベルは、少なくとも３ｄＢ分だけ、互いに異なる。
【００５６】
ステップ１８３８では、ワイヤレス通信デバイスが、時間変動する電力の動作モードの間に、第１の電力レベルでパイロットを送信する。ステップ１８３９では、ワイヤレス通信デバイスは、前記時間変動する送信電力の動作モードの間に、データと同じ電力レベルでパイロットを送信する。いくつかの実施形態では、パイロットは、ワイヤレス通信デバイスが使用しているのと同じパイロット送信リソースを使用している隣接通信デバイスによって使用されるものとは異なるパイロットシーケンスを使用して送信される。いくつかの実施形態では、ワイヤレス通信デバイスは、時間変動する送信の動作モードの間、時折、送信するのをやめ、それゆえ、ワイヤレス通信デバイスは、例えば、使用している共通の共有リソース上で聞くことができる。動作は、ステップ１８３５からステップ１８４０に進み、このステップ１８４０では、動作は、ステップ１８０６に進む。
【００５７】
上記の説明から、１つ以上の同じ送信リソースを共有しているデバイス間の干渉を最小にするための１つの方法は、例えば、異なるピア発見間隔の間に、データを送信するために、送信リソースを共有しているデバイスに、異なる送信電力レベルを使用させることであることを正しく認識すべきである。さまざまな実施形態では、送信リソースのセット中の個々の送信リソースは、トーンシンボル、例えば、ＯＦＤＭトーンシンボルであり、個々の送信リソース上で送信される信号は、変調シンボルである。いくつかの実施形態では、送信リソースのそれぞれのセットは、予め定められた数のシンボル送信時間期間の間、単一のトーンに対応する連続的なＯＦＤＭトーンシンボルのセットである。いくつかの実施形態では、デバイスは、ピアツーピアタイミング構造におけるピア発見リソースのセットに関係するピア発見リソースＩＤを獲得する。ワイヤレス通信デバイスは、その獲得したピア発見リソース上で、ピア発見信号を送信、例えば、ブロードキャストする。しかしながら、ワイヤレス通信デバイスは、時折、送信をやめて、その獲得したピア発見リソース上で聞いて、例えば、異なるパイロットシンボルシーケンスを使用して、その獲得したピア発見リソース上で同時に送信しているかもしれない他のデバイスの存在を検出する。
【００５８】
図１９は、１つの例示的な実施形態にしたがった、例示的な通信デバイスの図１９００である。通信デバイス１９００は、ピアツーピア通信をサポートする移動体ワイヤレス端末であってもよく、図１８のフローチャート１８００にしたがった方法を実現していてもよく、そして、少なくとも１つの実施形態では、ピアツーピア通信をサポートする移動体ワイヤレス端末であり、図１８のフローチャート１８００にしたがった方法を実現している。通信デバイス１９００は、例えば、図１の例示的な通信デバイス１ １０２である。いくつかの実施形態では、通信デバイス１９００は、アドホック通信ネットワークにおけるワイヤレス端末である。いくつかのこのような実施形態では、通信デバイス１９００は、基地局として動作しないハンドヘルドデバイスである、ワイヤレス端末である。通信デバイス１９００は、バス１９０９を通して共に結合されている、プロセッサ１９０２とメモリ１９０４とを備えており、このバス１９０９を通して、さまざまなエレメント（１９０２、１９０４）が、データおよび情報を交換してもよい。通信デバイス１９００は、入力モジュール１９０６と出力モジュール１９０８とをさらに備えており、これらは、示されているように、プロセッサ１９０２に結合されていてもよい。しかしながら、いくつかの実施形態では、入力モジュール１９０６および出力モジュール１９０８は、プロセッサ１９０２の内部に位置付けられている。入力モジュール１９０６は、入力信号を受け取ることができる。入力モジュール１９０６は、入力を受け取るための、ワイヤレス受信機、ならびに／あるいは、ワイヤードまたは光入力インターフェースを備えることができ、そして、いくつかの実施形態では備えている。出力モジュール１９０８は、出力を送信するための、ワイヤレス送信機、ならびに／あるいは、ワイヤードまたは光出力インターフェースを備えていてもよく、そして、いくつかの実施形態では備えている。
【００５９】
プロセッサ１９０２は、一定の送信電力レベルで、一定の送信電力の動作モードの間にデータを送信するようにと、時間の関数として変動する電力レベルを使用して、時間変動する送信電力の動作モードの間にデータを送信するように構成されている。いくつかの実施形態では、一定の送信電力の動作モードと、時間変動する送信電力の動作モードは、ブロードキャスト信号を送信するために使用される。いくつかの実施形態では、ブロードキャスト信号は、ピア発見信号である。いくつかの実施形態では、プロセッサ１９０２は、異なるピア発見送信時間期間の間に異なる電力レベルで、同じピア発見情報を複数回、時間変動する送信電力の動作モードの間に送信するように構成されている。いくつかの実施形態では、プロセッサ１９０２は、異なる時間において、少なくとも３つの異なる電力レベルで、時間変動する送信の動作モードの間にデータを送信するように構成されている。いくつかの実施形態では、少なくとも３つの異なる電力レベルは、少なくとも３ｄＢ分だけ、互いに異なる。
【００６０】
プロセッサ１９０２は、送信リソースの、例えば、ピア発見送信リソースの、セット上で検出されたエネルギーの量に基づいて、ネットワーク輻輳の量を決定するようにさらに構成されている。いくつかの実施形態では、プロセッサ１９０２は、ネットワーク輻輳の決定された量に応じて、一定の送信電力の動作モードと、時間変動する送信電力の動作モードとの間を切り替えるようにさらに構成されている。いくつかの実施形態では、プロセッサ１９０２は、時間変動する動作モードでの動作の間の時間の関数としての送信電力レベルを制御するように、複数の異なる送信電力レベルパターンのうちの１つをランダムに選択するようにさらに構成されている。いくつかの実施形態では、プロセッサ１９０２は、送信電力レベルを制御するように、時間変動する送信電力の動作モードの間の異なる時点において、複数の異なる送信電力レベルパターンのうちの１つをランダムに選択するように構成されている。いくつかの実施形態では、プロセッサ１９０２は、ワイヤレス通信デバイス１９００の近傍にあるデバイスによって複数のパイロットシーケンスのうちのどのパイロットシーケンスが使用されるかに基づいて、時間変動する送信電力の動作モードの間の時間の関数としての送信電力レベルを制御するように、複数の異なる送信電力レベルパターンのうちの１つをランダムに選択するように構成されている。
【００６１】
プロセッサ１９０２は、いくつかの実施形態では、一定の送信電力の動作モードの間に、第１の電力レベルでパイロットを送信するようにさらに構成されている。いくつかのこのような実施形態では、プロセッサ１９０２は、時間変動する送信電力の動作モードの間に、前記第１の電力レベルでパイロットを送信するようにさらに構成されている。いくつかの実施形態では、パイロットは、通信デバイス１９００と同じパイロット送信リソースを使用している隣接通信デバイスによって使用されるものとは異なるパイロットシーケンスを使用して送信される。
【００６２】
プロセッサ１９０２は、いくつかの実施形態では、前記一定の送信電力の動作モードの間に、データと同じ電力レベルでパイロットを送信するように構成されている。いくつかの実施形態では、プロセッサ１９０２は、前記時間変動する送信電力の動作モードの間に、データと同じ電力レベルでパイロットを送信するように構成されている。
【００６３】
図２０は、モジュールのアセンブリ２０００であり、このモジュールのアセンブリ２０００は、図１９中で図示されている通信デバイス１９００において使用することができ、そして、いくつかの実施形態では、図１９中で図示されている通信デバイス１９００において使用される。アセンブリ２０００におけるモジュールは、図１９のプロセッサ１９０２内のハードウェアで、例えば、個々の回路のように実現することができる。代替的には、モジュールは、ソフトウェアで実現してもよく、および、図１９中で示されている、通信デバイス１９００のメモリ１９０４中に記憶させてもよい。図１９では実施形態を単一のプロセッサとして、例えば、コンピュータとして示されているが、プロセッサ１９０２は、１つ以上のプロセッサとして、例えば、コンピュータとして実現してもよいことを正しく認識すべきである。
【００６４】
ソフトウェアにおいて実現するとき、モジュールは、プロセッサ１９０２によって実行されるときに、モジュールに対応する機能を実現するようにプロセッサを構成するコードを含む。モジュールのアセンブリ２０００がメモリ１９０４中に記憶されている実施形態では、メモリ１９０４は、少なくとも１つのコンピュータに、例えば、プロセッサ１９０２に、モジュールが対応する機能を実現させるためのコードを、例えば、それぞれのモジュールに対する個々のコードを含むコンピュータ読み取り可能媒体を具備するコンピュータプログラムプロダクトである。
【００６５】
完全にハードウェアベースまたは完全にソフトウェアベースのモジュールを使用してもよい。しかしながら、ソフトウェアとハードウェアとの任意の組み合わせ、例えば、回路実現されるモジュールを使用して機能を実現してもよいことを正しく認識すべきである。正しく認識すべきように、図２０中で図示されているモジュールは、図１８の方法フローチャート１８００で図示されている対応するステップの機能を実行するように、通信デバイス１９００を、または、プロセッサ１９０２のようなここでのエレメントを、制御および／または構成する。
【００６６】
モジュールのアセンブリ２０００は、図１８中で示されている方法のそれぞれのステップに対応しているモジュールを含む。図２０中のモジュールは、対応するステップを、例えば、図１８に関して、示されているステップおよび／または記述されているステップを実行するように、プロセッサ１９０２を実行または制御する。例えば、モジュール２００４は、ステップ１８０４に対応しており、ステップ１８０４に関して記述されている動作の実行に関与する。
【００６７】
図２０中で図示されているように、モジュールのアセンブリ２０００は、デバイスの現在の動作モードを、例えば、一定の送信電力の動作モードに初期化するモジュール２００４と、送信リソースのセットを監視する、例えば、ピア発見リソースを監視するモジュール２００６と、例えば、送信リソースのセット上で検出されたエネルギーの量に基づいて、ネットワーク輻輳の量を決定するモジュール２００８とを備える。モジュールのアセンブリ２０００は、ネットワーク輻輳の決定された量に応じて、前記一定の送信電力の動作モードと、時間変動する送信電力の動作モードとの間を切り替えるモジュール２０１０をさらに備える。モジュール２０１０は、ネットワーク輻輳の決定された量をしきい値と比較するモジュール２０１２と、現在のモードが一定の送信電力モードであるか否かを決定するモジュール２０１４と、時間変動する送信電力の動作モードから、一定の送信電力の動作モードに切り替えるモジュール２０１６と、現在の動作モードが、時間変動する送信電力の動作モードであるか否かを決定するモジュール２０１８と、一定の送信電力の動作モードから、時間変動する送信電力の動作モードに切り替えるモジュール２０２０とを備える。
【００６８】
モジュールのアセンブリ２０００は、一定の送信電力の動作モードの間に信号を送信するモジュール２０２１と、時間変動する送信電力の動作モードの間に信号を送信するモジュール２０３５とをさらに備える。モジュール２０２１は、一定の送信電力の動作モードの間に一定の電力レベルでデータを送信するモジュール２０２２を備える。さまざまな実施形態では、一定の送信電力レベルは、平均電力である。いくつかの実施形態では、モジュール２０２１は、一定の送信電力の動作モードの間に第１の電力レベルでパイロットを送信するモジュール２０２４を備える。いくつかの実施形態では、モジュール２０２１は、前記一定の送信電力の動作モードの間に、データと同じ電力レベルでパイロットを送信するモジュール２０２５を備える。
【００６９】
モジュール２０３５は、時間の関数として変動する電力レベルを使用して、時間変動する送信電力の動作モードの間にデータを送信するモジュール２０３６を備える。いくつかの実施形態では、モジュール２０３５は、時間変動する送信電力の動作モードの間に、第１の電力レベルでパイロットを送信するモジュール２０３８を備える。いくつかの実施形態では、プロセッサ２０３５は、前記時間変動する送信電力の動作モードの間に、データと同じ電力レベルでパイロットを送信するモジュール２０３９を備える。
【００７０】
いくつかの実施形態では、パイロットを送信するモジュール２０３８は、通信デバイス１９００と同じパイロット送信リソースを使用している隣接通信デバイスによって使用されるものとは異なるパイロットシーケンスを使用する。いくつかの実施形態では、データは、異なる時間において、少なくとも３つの異なる電力レベルで、時間変動する送信電力の動作モードの間にモジュール２０３６によって送信される。
【００７１】
いくつかの実施形態では、モジュールのアセンブリ２０００は、前記時間変動する送信電力の動作モードの間の時間の関数としての送信電力レベルを制御するように、複数の異なる送信電力レベルパターンのうちの１つをランダムに選択するモジュール２０３０と、送信電力レベルを制御するように、前記時間変動する送信電力の動作モードの間の異なる時点において複数の異なる送信電力レベルのうちの１つをランダムに選択するモジュール２０３２と、前記ワイヤレス通信デバイスの近傍にあるデバイスによって複数のパイロットシーケンスのうちのどのパイロットシーケンスが使用されるかに基づいて、時間変動する送信電力の動作モードの間の時間の関数としての送信電力レベルを制御するように、複数の異なる送信電力レベルパターンのうちの１つを選択するモジュール２０３４とのうちの１つ以上を備えている。いくつかの実施形態では、モジュール２０３４は、送信のために同じワイヤレスリソースを使用する、前記ワイヤレス通信デバイスの近傍にあるデバイスによって、複数のパイロットシーケンスのうちのどのパイロットシーケンスが使用されるかに基づいて、時間変動する送信電力の動作モードの間の時間の関数としての送信電力レベルを制御するように、複数の異なる送信電力レベルパターンのうちの１つを選択する。
【００７２】
破線ボックスを使用して示されているモジュールは、さまざまな実施形態において、これらのモジュールがモジュールのアセンブリ２０００中に備えられているが、これらのモジュールが対応しているステップが実行される実施形態において、プロセッサ１９０２が、このようなモジュールを実行してもよいことを示している。いくつかの実施形態では、別のモジュール内に含まれている、図２０中に示されている１つ以上のモジュールは、１つの独立モジュールまたは複数の独立モジュールとして実現してもよい。例えば、いくつかの実施形態では、モジュール２０１２は、モジュール２０１０に関してスタンドアローンモジュールとして実現してもよい。
【００７３】
必ずしもすべての実施形態とは限らないが、いくつかの実施形態において使用される、さまざまな特徴および態様を記述する。さまざまな例示的に記述した方法および装置は、ワイヤレスピアツーピアネットワーク中で信号を、送信するための、例えば、ブロードキャストするための、送信電力適応に関連する。さまざまな記述した方法および装置は、アドホックピアツーピアワイヤレス通信システムを使用するのに良く適しており、このアドホックピアツーピアワイヤレス通信システムでは、例えば、異なるが潜在的に近くの位置において、限定されたエアリソースが、異なるデバイスによって再使用される。
【００７４】
さまざまなピアツーピアネットワークでは、ネットワークにおけるそれぞれのデバイスが、ピア発見情報をブロードキャストするための、および／または、他のデバイスからのピア発見情報を、例えば、ピア発見時間間隔を聞くための、いくつかのエアリンクリソースを持つことができる場合に、いくつかの間隔をピアツーピアタイミング構造中に含むことが好ましい。しかしながら、タイミング構成におけるエアリンクリソースの総量は限定されており、ピア発見目的のためのエアリンクリソースの割り振りは、他の潜在的使用の、例えば、ピアツーピアトラフィックシグナリングの効果を減ずる。
【００７５】
いくつかの実施形態では、ピア発見のために割り振られた通信リソースは限定されている一方で、密集した配置では、システムにおけるユーザ数が、非常に多いことがある。さまざまな例示的な方法および装置は、例えば、ネットワークが密になっているときに、デバイスの送信電力を変動させることによって、利用可能なピア発見エアリンクリソースを効率的に使用する。
【００７６】
まばらな配置環境では、ピア発見の範囲が、干渉送信とは対照的に、例えば、熱ノイズによって限定されている場合、より多くのデバイスは、最大限に可能性ある送信電力を使用して、それらのピア発見情報をブロードキャストすることがある。しかしながら、ネットワークが密集化したとき、（幾何学的に近くても）複数のデバイスは、通信リソースの同じセットを共有することを開始するかもしれず、ピア発見品質は、干渉限定されるようになる。このようなシナリオでは、送信電力制御の変動が、システムに非常に有益になり得る。
【００７７】
いくつかの実施形態では、送信電力の変動に加えて、異なるパイロット位相、例えば、異なるパイロットシーケンスは、利用可能であり、性能をさらに改善させるために使用される。いくつかの実施形態のうちの１つの特徴にしたがって、通信デバイスは、そのピア発見送信リソースを共有しているかもしれないピアに周期的に聞くために、少なくともいくつかのピア発見時間間隔の間、休止を保つ。いくつかの実施形態では、ピア発見送信リソース上で検出された電力は、デコード可能なエネルギーしきい値よりも非常に大きく、さらに、リスニングデバイスが、ピア発見リソースのセットによって伝えられた信号／情報をデコードすることができない場合、これは、送信リソースの同じセットを、通信デバイスと共有している１つよりも多いすぐ近くのデバイスが存在することの良好な指標とすることができる。いくつかの実施形態では、このような条件が検出されたとき、条件を検出するデバイスは、ネットワーク輻輳レベルが、十分に高いことを考慮して、ピア発見に関して、一定の送信電力の動作モードから、時間変動する送信電力の動作モードへの遷移をトリガする。
【００７８】
したがって、ネットワーク輻輳の高いレベルが検出された後、通信デバイスは、ピア発見間隔に関して、時間変動する送信電力の動作モードに遷移するかもしれず、時には遷移する。１つの例示的な実施形態では、通信デバイスが、異なるタイムスロットの間に、異なる電力レベルで送信する。例えば、デバイスは、異なるピア発見間隔の間に、異なる送信電力レベルで、そのピア発見データ信号を送信する。例えば、ユーザは、そのピア発見時間間隔のうちの１／３では、フル電力で送信し、そのピア発見時間間隔の別の１／３の割合では、フル電力レベルから離れた−３ｄＢの電力で送信し、そのピア発見時間間隔のうちの残りの１／３の割合では、フル電力レベルから−６ｄＢの電力で送信することができる。電力バックオフの量の特定の選択は、ピア発見コデックのデコード可能なＳＮＲしきい値に依存することができ、いくつかの実施形態では依存する。直交パイロット位相が利用可能でないシナリオでは、ユーザは、疑似ランダムの態様で、例えば、その識別子、あるいは、それ自体について一意的である別の特性または性質に基づいて、タイムスロットの１／３、および／または、バックオフ量を選ぶことができる。また、そのピア発見時間間隔における休止期間の間、デバイスが、使用しているのと同じピア発見リソースを使用して、他のデバイスからのアクティビティを監視するときに、ユーザは、その隣接の選択を予測する機会を得ることができ、この情報を使用して、それに応じて、その送信電力を同調させることができる。
【００７９】
いくつかの実施形態では、所定のタイムスロット、例えば、循環するピアツーピアタイミング構造における所定のピア発見時間間隔の間、ピア発見リソースの同じセットを局所的に共有しているデバイスは、異なる送信電力レベルを使用することを意図的に選択する。パイロット位相が利用可能であるいくつかの実施形態では、この目的は、局所的に一意的であるはずであるそのパイロット位相に基づいて、送信電力パターンを、それぞれのユーザに選ばせることによって達成される。
【００８０】
図２１は、３つのパイロット位相がデバイスによって使用されている例を図示している図２１００を含む。例におけるデバイス（２１０２、２１０４、２１０６、２１０８、２１１０、２１１２、２１１４）は、小さい実点によって表されている。それぞれのデバイス（２１０２、２１０４、２１０６、２１０８、２１１０、２１１２、２１１４）は、それぞれ、対応する円（２１２２、２１２４、２１２６、２１２８、２１３０、２１３２、２１３４）で囲まれており、送信電力レベルを表すために、円のサイズを使用している。異なるパイロット位相は、円を埋めるために使用される異なるパターンを、例えば、垂直線のパターン、水平線のパターン、およびハッシュド線のパターンを使用して示されている。この例では、第１の時間の間に、デバイス２１０２、２１０４、および２１０６は、第１のパイロット位相を使用し、この第１のパイロット位相は、垂直線のパターンによって表されており、そして、デバイス（２１０２、２１０４、２１０６）は、それぞれ、大きいサイズの円（２１２２、２１２４、２１２６）によって示されているような、高い、例えば、最大電力レベルで送信している。ハッシュド線のパターンによって表されている第２のパイロット位相を使用するデバイス２１０８は、中間サイズの円２１２８によって示されているような中間の電力レベルで送信している。中間の電力レベルは、デバイス２１０２、２１０４、および２１０６によって使用されている送信電力レベルよりも低い送信電力レベルである。デバイス２１１０、２１１２、および２１１４は、水平線のパターンによって表されているような第３のパイロット位相を使用している。デバイス（２１１０、２１１２、２１１４）は、それぞれ、小さいサイズの円（２１３０、２１３２、および２１３４）によって示されているような、低い、例えば、最小の電力レベルで送信している。低い電力レベルは、中間電力レベルよりも低い。いくつかの実施形態では、高い電力レベルは、中間電力レベルよりも少なくとも３ｄＢ高く、中間電力レベルは、低い電力レベルよりも少なくとも３ｄＢ高い。さまざまな実施形態において、高い電力レベル、中間の電力レベル、および低い電力レベルは、平均的な送信電力レベルを表している。
【００８１】
図２２は、３つのパイロット位相がデバイスによって使用されている例を図示している図２２００を含む。例におけるデバイス（２１０２、２１０４、２１０６、２１０８、２１１０、２１１２、２１１４）は、小さい実点によって表されており、図２１中で示されているのと同じデバイスである。それぞれのデバイス（２１０２、２１０４、２１０６、２１０８、２１１０、２１１２、２１１４）は、それぞれ、対応する円（２２２２、２２２４、２２２６、２２２８、２２３０、２２３２、２２３４）で囲まれており、送信電力レベルを表すために、円のサイズを使用している。円を埋めるために使用される異なるパターン、例えば、垂直線のパターン、水平線のパターン、およびハッシュド線のパターンを使用して、異なるパイロット位相を示している。この例では、図２１の第１の時間とは異なる第２の時間の間に、デバイス２１０２、２１０４、および２１０６は、垂直線のパターンによって表されている第１のパイロット位相を使用し、デバイス（２１０２、２１０４、２１０６）は、小さいサイズの円（２２２２、２２２４、２２２６）によってそれぞれ示されているような、低い電力レベルで送信している。ハッシュド線のパターンによって表されている第２のパイロット位相を使用するデバイス２１０８は、大きいサイズの円２２２８によって示されているような、高い、例えば、最大電力レベルで送信している。デバイス２１１０、２１１２、および２１１４は、水平線のパターンによって表されているような第３のパイロット位相を使用している。デバイス（２１１０、２１１２、２１１４）は、それぞれ、中間サイズの円（２２３０、２２３２および２２３４）によって示されているような中間電力レベルで送信している。
【００８２】
図２１は、ピアツーピア循環する時間構成における第１のピア発見時間間隔の間の時間に対応していてもよい一方で、図２２は、ピアツーピア循環する時間構成における第２のピア発見時間間隔の間の時間に対応していてもよい。
【００８３】
さまざまな実施形態の技術を、ソフトウェア、ハードウェア、および／または、ソフトウェアとハードウェアとを組み合わせたものを使用して実現してもよい。さまざまな実施形態は、装置に、例えば、移動体端末のような移動体ノード、基地局、通信システムに向けられている。さまざまな実施形態は、方法に、例えば、移動体ノード、基地局、および／または通信システムを、例えば、ホストを、制御および／または動作させる方法にも向けられている。さまざまな実施形態は、機械にも、例えば、例えば、ＲＯＭ、ＲＡＭ、ＣＤ、ハードディスク等のような、コンピュータ読み取り可能媒体にも向けられており、これらは、方法の１つ以上のステップを実現するように機械を制御するための機械読み取り可能命令を含む。
【００８４】
開示したプロセスにおける、ステップの特定の順序または階層は、例示的なアプローチの例であることが理解される。設計選択に基づいて、本開示の範囲内のままで、プロセスにおけるステップの特定の順序または階層を再構成してもよいことが理解される。付随する方法の請求項は、サンプルの順序で、さまざまステップの要素を表しており、示した特定の順序または階層に限定することを意味しているわけではない。
【００８５】
さまざまな実施形態では、１つ以上の方法に対応するステップを、例えば、信号処理、選択、および／または、送信ステップを実行するための１つ以上のモジュールを使用して、ここで記述したノードを実現する。したがって、いくつかの実施形態では、モジュールを使用して、さまざまな特徴を実現する。このようなモジュールは、ソフトウェア、ハードウェア、またはソフトウェアとハードウェアとを組み合わせたもの使用して実現してもよい。上述した方法または方法ステップの多くは、機械を、例えば、付加的なハードウェアを持つ、または、持たない汎用コンピュータを制御して、例えば１つ以上のノードにおいて、上述した方法のすべて、または、一部分を実現するために、メモリデバイス、例えば、ＲＡＭ、フロッピー（登録商標）ディスク等のような、機械読み取り可能媒体中に、例えば、１つ以上のノード中に含まれている、ソフトウェアのような機械実行可能な命令を使用して実現することができる。したがって、数ある中でも、さまざまな実施形態は、機械に、例えば、プロセッサおよび関係するハードウェアに、上述した方法のステップのうちの１つ以上を実行させるための機械実行可能な命令を含む機械読み取り可能媒体に向けられている。いくつかの実施形態は、この発明の１つ以上の方法のステップのうちの１つ、複数のもの、またはすべてを実現するように構成されているプロセッサを含む、デバイスに、例えば、通信ノードに向けられている。
【００８６】
いくつかの実施形態では、１つ以上のデバイスの、例えば、アクセスノードおよび／またはワイヤレス端末のような通信ノードの、プロセッサ、例えばＣＰＵは、通信ノードによって実行されているとして記述した方法のステップを実行するように構成されている。プロセッサ構成を制御するために、１つ以上のモジュールを、例えば、ソフトウェアモジュールを使用することによって、ならびに／あるいは、記述したステップを実行および／またはプロセッサ構成を制御するために、ハードウェアを、例えば、ハードウェアモジュールをプロセッサ中に備えることによって、プロセッサの構成を達成してもよい。したがって、すべての実施形態ではないが、いくつかの実施形態は、プロセッサが含まれるデバイスによって実行されるさまざまな記述した方法のステップのそれぞれに対応するモジュールを含むプロセッサを持つ、デバイスに、例えば通信ノードに向けられている。すべての実施形態ではないがいくつかの実施形態では、デバイス、例えば通信ノードは、プロセッサが備えられているデバイスによって実行される、さまざまな記述した方法のステップのそれぞれに対応するモジュールを備える。モジュールは、ソフトウェアおよび／またはハードウェアを使用して実現してもよい。
【００８７】
いくつかの実施形態は、さまざまな機能、ステップ、動作、および／または演算を、例えば、上述した１つ以上のステップを、コンピュータに、または、複数のコンピュータに実現させるためのコードを含むコンピュータ読み取り可能媒体を含むコンピュータプログラムプロダクトに向けられている。実施形態に基づいて、コンピュータプログラムプロダクトは、実行されるべきそれぞれのステップのための異なるコードを、含むことができ、時には含む。したがって、コンピュータプログラムプロダクトは、方法の、例えば、通信デバイスまたはノードを制御する方法の、それぞれの個々のステップに対するコードを含んでいてもよく、時には含む。コードは、ＲＡＭ（ランダムアクセスメモリ）、ＲＯＭ（リードオンリーメモリ）、または他のタイプの記憶デバイスのような、コンピュータ読み取り可能媒体上に記憶されている、機械、例えば、コンピュータ実行可能な命令の形態であってもよい。コンピュータプログラムプロダクトに向けられていることに加えて、いくつかの実施形態は、上述した１つ以上の方法の、さまざまな機能、ステップ、動作、および／または、演算のうちの１つ以上を実現するように構成されているプロセッサに向けられている。したがって、いくつかの実施形態は、ここで記述した方法のステップのいくつか、または、すべてを実現するように構成されている、プロセッサに、例えばＣＰＵに向けられている。プロセッサは、本出願中で記述した、例えば、通信デバイスまたは他のデバイスにおいて使用するためのものであってもよい。
【００８８】
ＯＦＤＭシステムの文脈で記述したが、さまざまな実施形態の方法および装置のうちの少なくともいくつかが、多くの非ＯＦＤＭおよび／または非セルラシステムを含む、幅広い範囲の通信システムに適用可能である。
【００８９】
上述したさまざまな実施形態の方法および装置上の数々の付加的な変形が、上記の記述の観点から、当業者に明らかになるだろう。このような変形は、範囲内であると考えるべきである。方法および装置は、ＣＤＭＡ、直交周波数分割多重化（ＯＦＤＭ）、および／または、通信デバイスの間のワイヤレス通信リンクを提供するのに使用されてもよいさまざまな他のタイプの通信技術とともに使用され、そして、さまざまな実施形態では、使用されてもよい。いくつかの実施形態では、１つ以上の通信デバイスは、ＯＦＤＭおよび／またはＣＤＭＡを使用して、移動体ノードとの通信リンクを確立するアクセスポイントとして実現される、ならびに／あるいは、ワイヤードまたはワイヤレス通信リンクを通して、インターネットまたは別のネットワークに接続性を提供してもよい。さまざまな実施形態では、方法を実現するために、移動体ノードは、ノートブックコンピュータ、パーソナルデータアシスタント（ＰＤＡ）、あるいは、受信機／送信機回路と、論理および／またはルーチンとを含む他のポータブルデバイスとして実現される。
以下に、本願出願の当初の特許請求の範囲に記載された発明を付記する。
［１］情報を通信するようにワイヤレス通信デバイスを動作させる方法において、
一定の送信電力の動作モードの間に、一定の送信電力レベルでデータを送信することと、
時間の関数として変動する電力レベルを使用して、時間変動する送信電力の動作モードの間にデータを送信することとを含む方法。
［２］ネットワーク輻輳の決定された量に応じて、前記一定の送信電力の動作モードと、前記時間変動する送信電力の動作モードとの間を切り替えることをさらに含む［１］記載の方法。
［３］前記一定の送信電力の動作モードと、前記時間変動する送信電力の動作モードは、ブロードキャスト信号を送信するために使用される［２］記載の方法。
［４］前記ブロードキャスト信号は、ピア発見信号であり、
前記時間変動する送信電力の動作モードの間にデータを送信することは、異なるピア発見送信時間期間の間に、異なる電力レベルで、同じピア発見情報を複数回送信することを含む［３］記載の方法。
［５］前記時間変動する送信電力の動作モードの間の時間の関数としての送信電力レベルを制御するように、複数の異なる送信電力レベルパターンのうちの１つをランダムに選択することをさらに含む［３］記載の方法。
［６］前記ワイヤレス通信デバイスの近傍にあるデバイスによって複数のパイロットシーケンスのうちのどのパイロットシーケンスが使用されるかに基づいて、前記時間変動する送信電力の動作モードの間の時間の関数としての前記送信電力レベルを制御するように、複数の異なる送信電力レベルパターンのうちの１つを選択することをさらに含む［３］記載の方法。
［７］前記一定の送信電力の動作モードの間に、第１の電力レベルでパイロットを送信することと、
前記時間変動する送信電力の動作モードの間に、前記第１の電力レベルでパイロットを送信することとをさらに含む［１］記載の方法。
［８］前記パイロットは、前記通信デバイスと同じパイロット送信リソースを使用している隣接通信デバイスによって使用されるものとは異なるパイロットシーケンスを使用して送信される［７］記載の方法。
［９］ワイヤレス通信デバイスにおいて、
一定の送信電力の動作モードの間に、一定の送信電力レベルでデータを送信する手段と、
時間の関数として変動する電力レベルを使用して、時間変動する送信電力の動作モードの間にデータを送信する手段とを具備するワイヤレス通信デバイス。
［１０］ネットワーク輻輳の決定された量に応じて、前記一定の送信電力の動作モードと、前記時間変動する送信電力の動作モードとの間を切り替える手段をさらに具備する［９］記載の通信デバイス。
［１１］前記一定の送信電力の動作モードと、前記時間変動する送信電力の動作モードは、ブロードキャスト信号を送信するために使用される［１０］記載の通信デバイス。
［１２］前記ブロードキャスト信号は、ピア発見信号であり、
前記時間変動する送信電力の動作モードの間に送信する手段は、異なるピア発見送信時間期間の間に、異なる電力レベルで、同じピア発見情報を複数回送信する［１１］記載の通信デバイス。
［１３］前記時間変動する送信電力の動作モードの間の時間の関数としての送信電力レベルを制御するように、複数の異なる送信電力レベルパターンのうちの１つをランダムに選択する手段をさらに具備する［１１］記載の通信デバイス。
［１４］ワイヤレス通信デバイスの近傍にあるデバイスによって複数のパイロットシーケンスのうちのどのパイロットシーケンスが使用されるかに基づいて、前記時間変動する送信電力の動作モードの間の時間の関数としての前記送信電力レベルを制御するように、複数の異なる送信電力レベルパターンのうちの１つを選択する手段をさらに具備する［１１］記載の通信デバイス。
［１５］前記一定の送信電力の動作モードの間に、第１の電力レベルでパイロットを送信する手段と、
前記時間変動する送信電力の動作モードの間に、前記第１の電力レベルでパイロットを送信する手段とをさらに具備する［９］記載の通信デバイス。
［１６］ワイヤレス通信デバイスにおいて使用するためのコンピュータプログラムプロダクトにおいて、
前記コンピュータプログラムプロダクトは、
少なくとも１つのコンピュータに、一定の送信電力の動作モードの間に、一定の送信電力レベルでデータを送信させるためのコードと、
前記少なくとも１つのコンピュータに、時間の関数として変動する電力レベルを使用させて、時間変動する送信電力の動作モードの間にデータを送信させるためのコードとを含むコンピュータ読み取り可能媒体を具備するコンピュータプログラムプロダクト。
［１７］ワイヤレス通信デバイスにおいて、
一定の送信電力の動作モードの間に、一定の送信電力レベルでデータを送信するようにと、
時間の関数として変動する電力レベルを使用して、時間変動する送信電力の動作モードの間にデータを送信するように構成されている少なくとも１つのプロセッサと、
前記少なくとも１つのプロセッサに結合されているメモリとを具備するワイヤレス通信デバイス。
［１８］前記少なくとも１つのプロセッサは、
ネットワーク輻輳の決定された量に応じて、前記一定の送信電力の動作モードと、前記時間変動する送信電力の動作モードとの間を切り替えるようにさらに構成されている［１７］記載の通信デバイス。
［１９］前記少なくとも１つのプロセッサは、
前記時間変動する送信電力の動作モードの間の時間の関数としての前記送信電力レベルを制御するように、複数の異なる送信電力レベルパターンのうちの１つをランダムに選択するようにさらに構成されている［１８］記載の通信デバイス。
［２０］前記少なくとも１つのプロセッサは、
前記ワイヤレス通信デバイスの近傍にあるデバイスによって複数のパイロットシーケンスのうちのどのパイロットシーケンスが使用されるかに基づいて、前記時間変動する送信電力の動作モードの間の時間の関数としての前記送信電力レベルを制御するように、複数の異なる送信電力レベルパターンのうちの１つを選択するようにさらに構成されている［１８］記載の通信デバイス。
【図１】
0005608760.tif 000002
【図２】
0005608760.tif 000003
【図３】
0005608760.tif 000004
【図４】
0005608760.tif 000005
【図５】
0005608760.tif 000006
【図６】
0005608760.tif 000007
【図７】
0005608760.tif 000008
【図８】
0005608760.tif 000009
【図９】
0005608760.tif 000010
【図１０】
0005608760.tif 000011
【図１１】
0005608760.tif 000012
【図１２】
0005608760.tif 000013
【図１３】
0005608760.tif 000014
【図１４】
0005608760.tif 000015
【図１５】
0005608760.tif 000016
【図１６】
0005608760.tif 000017
【図１７】
0005608760.tif 000018
【図１８Ａ】
0005608760.tif 000019
【図１８Ｂ】
0005608760.tif 000020
【図１９】
0005608760.tif 000021
【図２０】
0005608760.tif 000022
【図２１】
0005608760.tif 000023
【図２２】
0005608760.tif 000024